(57)【特許請求の範囲】
【請求項１】
ツイストペア線を圧接するためのものであって、前記ツイストペア線を構成する電線が配索される一対の電線配索路を設けたハウジングと、このハウジングに装着され前記電線配索路において前記電線と圧接される圧接刃を有した圧接端子金具とを備えた圧接コネクタにおいて、
前記ハウジングには、前記一対の電線配索路の間にその長さ方向に沿ってガイド突条が突設され、前記ツイストペア電線はこのガイド突条によってその撚りが解かれて前記両電線配索路へ振り分けられるが、ガイド突条の長さ方向外側では撚り合った状態となっており、
さらに、前記ガイド突条の先端部には前記電線配索路側に向けて下降傾斜するテーパ面が設けられ、
かつ前記ガイド突条は、前記圧接刃に対し前記長さ方向の両側に跨って設けられていることを特徴とする圧接コネクタ。
【請求項２】
前記ガイド突条の先端部には長さ方向の外側に向けて下降傾斜するテーパ面が設けられていることを特徴とする請求項１に記載の圧接コネクタ。
【請求項３】
前記ハウジングには圧接部分を覆うようにカバーが組み付けられるとともに、このカバーには前記ガイド突条を受け入れて直線的に摺動させる案内面を備えた受入凹部が設けられていることを特徴とする請求項１または請求項２に記載の圧接コネクタ。
【発明の詳細な説明】
【０００１】
【発明の属する技術分野】
本発明は、圧接コネクタに関し、特にツイストペア線を圧接接続するためのものに関する。
【０００２】
【従来の技術】
従来、ツイストペア線を圧接接続するための圧接コネクタとして、例えば図９に示すものがある。この圧接コネクタ１のハウジング２には、２組のツイストペア線３を構成する一対ずつの電線３Ａ，３Ｂが配索された溝状の電線配索路４Ａ，４Ｂが計４本並設されている。また、ハウジング２には、長短２種類の圧接端子６，７が一対ずつ装着されており、各圧接端子６，７の圧接刃６Ａ，７Ａにそれぞれ電線３Ａ，３Ｂが圧接されることで両ツイストペア線３の電線３Ａ，３Ｂ同士が電気的に接続されている。
【０００３】
【発明が解決しようとする課題】
上記の圧接コネクタ１にツイストペア線３を圧接する際には、電線３Ａ，３Ｂを圧接刃６Ａ，７Ａへ押し込む前に、次のような作業を行う必要がある。まず一対の電線３Ａ，３Ｂの撚りを一部ほぐし、そのほぐした部分を電線配索路４Ａ，４Ｂ間の幅寸法に拡げ、さらにそれを電線配索路４Ａ，４Ｂの長さ寸法にまで拡げてからその電線４Ａ，４Ｂを圧接刃６Ａ，７Ａの開口部に乗せるようにして電線配索路４Ａ，４Ｂに沿わせる。しかし、このような作業を作業者の指だけで行うことは必ずしも容易ではなかった。
本発明は、上記事情に鑑みてなされたもので、その目的は、ツイストペア線の圧接作業性を向上させることのできる圧接コネクタを提供するところにある。
【０００４】
【課題を解決するための手段】
上記の課題を解決するための請求項１の発明に係る圧接コネクタは、ツイストペア線を圧接するためのものであって、前記ツイストペア線を構成する電線が配索される一対の電線配索路を設けたハウジングと、このハウジングに装着され前記電線配索路において前記電線と圧接される圧接刃を有した圧接端子金具とを備えた圧接コネクタにおいて、前記ハウジングには、前記一対の電線配索路の間にその長さ方向に沿ってガイド突条が突設され、前記ツイストペア電線はこのガイド突条によってその撚りが解かれて前記両電線配索路へ振り分けられるが、ガイド突条の長さ方向外側では撚り合った状態となっており、さらに、前記ガイド突条の先端部には前記電線配索路側に向けて下降傾斜するテーパ面が設けられ、かつ前記ガイド突条は、前記圧接刃に対し前記長さ方向の両側に跨って設けられているところに特徴を有する。
【０００５】
請求項２の発明は、請求項１に記載のものにおいて、前記ガイド突条の先端部には長さ方向の外側に向けて下降傾斜するテーパ面が設けられているところに特徴を有する。
【０００６】
請求項３の発明は、請求項１または請求項２に記載のものにおいて、前記ハウジングには圧接部分を覆うようにカバーが組み付けられるとともに、このカバーには前記ガイド突条を受け入れて直線的に摺動させる案内面を備えた受入凹部が設けられているところに特徴を有する。
【０００７】
【発明の作用および効果】
請求項１の発明によれば、撚り合わされた一対の電線の間にガイド突条の先端部を押し付けると、電線配索路側に向けて下降傾斜するテーパ面によって、両電線が互いに離間して各電線配索路へと導かれる。一対の電線をガイド突条の長さ方向に沿って押し付けていくと、両電線を各電線配索路に振り分けることでき、作業性が良い。
【０００８】
請求項２の発明によれば、長さ方向の外側へ向けて下降傾斜するテーパ面を設けることで、ガイド突条に沿って一対の電線を押し付けていくとき、両電線が押し下げられるにつれ、両電線間にこのテーパ面が入り込むから、より円滑に両電線を各電線配索路に振り分けることでき、作業性が良い。
【０００９】
請求項３の発明によれば、ハウジングにカバーを組み付けるときに、カバーに設けられた受入凹部の案内面がガイド突条を直線的に摺動させる。これにより、カバーを位置決めした状態で真っ直ぐに組み付けることができる。
【００１０】
【発明の実施の形態】
次に、本発明の一実施形態について図１から図８を参照しつつ説明する。
本実施形態では、一対の電線１１Ａ，１１Ｂを撚り合わせて構成される２組のツイストペア線１０Ａ，１０Ｂを圧接接続する圧接コネクタ２０について説明する。本実施形態の圧接コネクタ２０は、ハウジング２１と、長短２種類で一対ずつの圧接端子金具４０，４１と、カバー５０とを備えて構成される。
【００１１】
ハウジング２１は、合成樹脂材によって全体として箱形に形成されており、図１から図４に示すように、底壁２２と左右一対の側壁２３とを備え、上面と前後面とは開放されている。ハウジング２１には上方から後述するカバー５０を組付け可能とされており、左右側壁２３の外面には、カバー５０のロック孔５６と係合可能な断面楔形のロック突起２４が突設されている。
【００１２】
ハウジング２１の左右方向中央には、前後方向に沿って中央壁２６が突設されている。この中央壁２６と左右両側壁２３との間には、後述するガイド突条２７が前後方向に沿って突設されており、その両隣には溝状の電線配索路（外側のものを２９Ａ，内側のものを２９Ｂで示す）が形成されている。各電線配索路２９Ａ，２９Ｂには、ツイストペア線１０Ａ，１０Ｂを構成する電線１１Ａ，１１Ｂが配索されるようになっている。また、ハウジング２１には、電線１１Ａ，１１Ｂの配索方向に対して直交方向に長短一対ずつの端子装着溝３１，３２が設けられている。これらのうちハウジング２１の前側に設けられた一対の端子装着溝３１は、一方の側壁２３から他方の側壁２３までハウジング２１を横切るように形成されており、そこに圧接端子金具４０が緊密に嵌め込まれている。また、ハウジング２１の後側に設けられた一対の端子装着孔３２は、一方のガイド突条２７から他方のガイド突条２７まで形成されており、そこに圧接端子金具４１が緊密に嵌め込まれている。
【００１３】
圧接端子金具４０，４１は、導電性の金属板材を所定の形状に打ち抜いて形成されている。長い方の圧接端子金具４０には、ハウジング２１の外側の電線配索路２９Ａ内に露出する部分に上方に開口部４３Ａを備えたＵ字形の圧接刃４３が設けられている。また、圧接端子金具４０の内側の電線配索路２９Ｂに対応する部分にはコの字形の逃がし凹部４４が形成されており、電線配索路２９Ｂ内に配された電線１１Ｂと干渉しないようになっている。一方、短い方の圧接端子金具４１には、内側の電線配索路２９Ｂ内に露出する部分に上方に開口部４６Ａを備えたＵ字形の圧接刃４６が設けられている。
【００１４】
さて、ガイド突条２７は、前述のように一対の電線配索路２９Ａ，２９Ｂの間に長さ方向（ハウジング２１の前後方向）に沿って突設されいる。ガイド突条２７の先端部は圧接刃４３，４６の開口部４３Ａ，４６Ｂよりも高い位置にあり、断面山形に形成されるとともに、左右両側に電線配索路２９Ａ，２９Ｂ側に向けて下降傾斜するテーパ面３４が設けられている。さらに、ガイド突条２７の先端部における長さ方向（前後方向）の両端部には、ハウジング２１の外側へ向けて下降傾斜するテーパ面３５が形成されている。
【００１５】
一方、ハウジング２１の上面に組み付けられるカバー５０は、合成樹脂材によって形成されており、図３及び図４に示すように、その天井壁５１の前後端縁からは、ハウジング２１の前後面を覆う前壁５２、後壁５３が下側に延設されている。これらの前壁５２、後壁５３には、電線１１Ａ，１１Ｂを通すためのＵ字状の電線挿通溝５４が設けられている。また、天井壁５１の左右側縁からは下側へ一対のロック片５５が延設されている。これらのロック片５５は、互いに拡開方向に撓み変形可能とされており、ハウジング２１のロック突起２４と係合可能なロック孔５６が開口されている。
【００１６】
また、カバー５０の天井壁５１には、各電線配索路２９Ａ，２９Ｂの上方に対応する位置に電線押圧部５８Ａ，５８Ｂが突設されており、カバー５０をハウジング２１に組み付けるときに、電線１１Ａ，１１Ｂをハウジング２１の底壁２２側へ押さえつけるようになっている。また、電線押圧部５８Ａ，５８Ｂの間には、ガイド突条２７を受け入れ可能な溝状の受入凹部５９が設けられている（図４参照）。この受入凹部５９の左右両側面には垂直な案内面５９Ａが形成されており、カバー５０をハウジング２１に組み付けるときには、両案内面５９Ａがガイド突条２７の両側面に摺接するようになっている。
【００１７】
本実施形態の構成は以上であり、次にその作用を説明する。
ツイストペア線１０Ａ，１０Ｂを圧接コネクタ２０に圧接するには、まず、撚り合わされた電線１１Ａ，１１Ｂをその間にガイド突条２７の先端部を割り込ませるように押し付ける。すると、押し付けられた電線１１Ａ，１１Ｂは、左右のテーパ面３４に沿って互いに幅方向に離間していき、それぞれ電線配索路２９Ａ，２９Ｂの上部、詳しくは、図５に示すように、各圧接刃４３、４６の開口部４３Ａ，４６Ａ付近へと導かれる。そして、電線１１Ａ，１１Ｂを押し付ける位置をガイド突条２７の長さ方向に沿ってずらしていくと、撚り合った電線１１Ａ，１１Ｂが徐々に左右の電線配索路２９Ａ，２９Ｂへと振り分けられていく。電線１１Ａ，１１Ｂを押し付ける位置がガイド突条２７の長さ方向の端部に至ると、両電線１１Ａ，１１Ｂが押し下げられるにつれ、テーパ面３５が撚り合わされた部分に入り込んで、電線１１Ａ，１１Ｂがさらに円滑に振り分けられる。こうして、図６に示すように、両電線１１Ａ，１１Ｂを各圧接刃４３，４６の開口部４３Ａ，４６Ａに乗せた状態で各電線配索路２９Ａ，２９Ｂに沿わせるようにする。
【００１８】
続いて、ハウジング２１の上方からカバー５０を覆い被せていく。すると、カバー５０のロック片５５の先端がハウジング２１のロック突起２４に乗り上がって両ロック片５５が互いに拡開方向に撓み変形する（図７参照）。このとき、左右のロック片５５が撓むことで、カバー５０が左右方向に保持されず不安定になるが、カバー５０がハウジング２１に対して左右方向にずれた状態で接近した場合には、ガイド突条２７のテーパ面３４が受入凹部５９の孔縁（電線押圧部５８Ａ，５８Ｂ）に突き当たることでカバー５０が正規の位置に案内される。そのため、各電線押圧部５８Ａ，５８Ｂの先端が各電線１１Ａ，１１Ｂの上面に的確に当接する。
【００１９】
カバー５０をさらにハウジング２１に押し付けると、電線押圧部５８Ａ，５８Ｂが電線１１Ａ，１１Ｂを圧接刃４３，４６へと押し込む。このとき、受入凹部５９の案内面５９Ａがガイド突条２７を直線的に摺動させるため、カバー５０がハウジング２１に対して真っ直ぐに組み付けられる。これによって、電線押圧部５８Ａ，５８Ｂが電線１１Ａ，１１Ｂを真っ直ぐに圧接刃４３，４６へと押し込むことができ、圧接刃４３，４６が確実に被覆に切り込んで電線の芯線に接触する。
このようにして、カバー５０を押し込むと、ロック突起２４がロック孔５６に入り込むとともに、ロック片５５が内側に復帰変形してカバー５０がハウジング２１にロック状態で組み付けられる（図８参照）。両ツイストペア線１０Ａ，１０Ｂの電線１１Ａ，１１Ｂ同士は圧接端子金具４０，４１を介して電気的に接続された状態となる。
【００２０】
以上のように、本実施形態によれば、電線配索路２９Ａ，２９Ｂの間に長さ方向に沿ってガイド突条２７を突設し、その先端部に左右両電線配索路２９Ａ，２９Ｂ側に向けて下降傾斜する一対のテーパ面３４を設けたため、電線１１Ａ，１１Ｂを押し付けることで、両電線１１Ａ，１１Ｂが互いに離間して電線配索路２９Ａ，２９Ｂへと導かれる。そして一対の電線１１Ａ，１１Ｂをガイド突条２７の長さ方向に沿って押し付けていくと、両電線１１Ａ，１１Ｂを各電線配索路２９Ａ，２９Ｂに振り分けることできる。これにより、従来のように、作業者が指だけで一対の電線の撚りをほぐして、そのほぐした部分を電線配索路間の幅寸法に拡げ、さらにそれを電線配索路の長さ寸法にまで拡げてからその電線を電線配索路に沿わせるよりも、作業性が向上する。
【００２１】
また、ガイド突条２７には長さ方向の両端部に外側へ向けて下降傾斜するテーパ面３５が設けられているため、ガイド突条２７に沿って一対の電線１１Ａ，１１Ｂを押し付けていくとき、両電線１１Ａ，１１Ｂが押し下げられるにつれ、両電線１１Ａ，１１Ｂ間にこのテーパ面３５が入り込むから、より円滑に両電線を各電線配索路に振り分けることでき、作業性がより向上する。
【００２２】
さらに、カバー５０にはガイド突条２７を受け入れる受入凹部５９が設けられており、カバー５０をハウジング２１に組み付けるときには、受入凹部５９の案内面５９Ａがガイド突条２７を直線的に摺動させるため、カバー５０を位置決めした状態で真っ直ぐに組み付けることができる。
【００２３】
本発明の技術的範囲は、上記した実施形態によって限定されるものではなく、例えば、次に記載するようなものも本発明の技術的範囲に含まれる。
（１）本実施形態では、２組のツイストペア線１０Ａ，１０Ｂの各電線１１Ａ，１１Ｂ同士を圧接接続する圧接コネクタ２０を示したが、本発明によれば、コネクタに圧接するツイストペア線の組数はこれに限らず、また、１組のツイストペア線を構成する一対の電線のうち圧接端子金具に接続する電線はいずれか一方でも良い。さらに、圧接端子金具は、他の端子金具等に接続するようにしても良い。
【図面の簡単な説明】
【０００１】
【図１】本実施形態の圧接コネクタにおけるハウジングの斜視図
【図２】ハウジングの平面図
【図３】圧接コネクタの組付け前の側断面図
【図４】圧接コネクタの組付け前の正断面図
【図５】ツイストペア線を電線配索路に振り分けた状態を示す正断面図
【図６】ツイストペア線を電線配索路に振り分けた状態を示す平面図
【図７】カバーを組み付ける過程を示す正断面図
【図８】カバーを組み付けた状態を示す正断面図
【図９】従来の圧接コネクタを示す平面図
【符号の説明】
１０Ａ，１０Ｂ…ツイストペア線
１１Ａ，１１Ｂ…電線
２０…圧接コネクタ
２１…ハウジング
２７…ガイド突条
２９Ａ，２９Ｂ…電線配索路
３４…テーパ面（電線配索路側に向けて下降傾斜するテーパ面）
３５…テーパ面（長さ方向の外側に向けて下降傾斜するテーパ面）
４０，４１…圧接端子金具
５０…カバー
５９…受入凹部
５９Ａ…案内面
【図１】
0003630052.tif 000002
【図２】
0003630052.tif 000003
【図３】
0003630052.tif 000004
【図４】
0003630052.tif 000005
【図５】
0003630052.tif 000006
【図６】
0003630052.tif 000007
【図７】
0003630052.tif 000008
【図８】
0003630052.tif 000009
【図９】
0003630052.tif 000010